(57)【要約】      （修正有）【課題】物品収納凹部に収納した収納物品が物品収納凹部内を動き難く、しかも、収納物品が物品収納凹部内を動いた場合でも、収納物品の電極端子が支持部に当たるおそれの少ないキャリアテープを提供する。【解決手段】キャリアテープ１の物品収納凹部２は、夫々、内周壁２１、２２、２３と底壁２５との境界部に、収納物品としての電子部品１００の底面の周縁１０３を支持する支持部２６ａ、２６ｂを備えている。支持部２６ａ、２６ｂは、内周壁２１、２２、２３と底壁２５に行くに従い漸次高さが低くなるように、且つ、内周壁２１、２２、２３と底壁２５にかけて下方側に窪ませるようにして形成された断面円弧状に構成されている。【選択図】図２
2012184020.tif 000002
【特許請求の範囲】
【請求項１】
底壁とその底壁の全周に配設された内周壁とを有する物品収納凹部を複数、配設し、その物品収納凹部に収納物品を収納するようにしたキャリアテープであって、
前記物品収納凹部は、夫々、前記内周壁と底壁との境界部に、前記収納物品の底面の周縁を支持する支持部を備え、
前記支持部は、前記内周壁から底壁に行くに従い漸次高さが低くなるように、且つ、外周側に膨らませるようにして形成された断面円弧状に構成されていることを特徴とするキャリアテープ。
【請求項２】
前記物品収納凹部は、夫々、四角形状の収納物品を収納し得るように、前後左右の各内周壁によって四角形状に区画形成され、
前記支持部は、前記前後左右の各内周壁夫々と底壁との境界部に形成された前支持部、後支持部、左支持部、及び右支持部を備え、
前記前支持部と左支持部との端部同士間、前記前支持部と右支持部との端部同士間、前記左支持部と後支持部との端部同士間、及び前記右支持部と後支持部との端部同士間の夫々に、前記収納物品の底面の角部がそれらの前後左右の支持部に当たらないようにそれらの前後左右の支持部夫々から下方側に凹ませるようにして形成された角逃がし凹部が設けられていることを特徴とする請求項１記載のキャリアテープ。
【発明の詳細な説明】
【技術分野】
【０００１】
本発明は、半導体装置のチップ・サイズ・パッケージ（ＣＳＰ）等の電子部品等の物品を収納するのに最適なキャリアテープに関するものである。
【背景技術】
【０００２】
従来から、キャリアテープに、底壁と内周壁とで形成した複数の物品収納凹部を設け、これらの物品収納凹部に、例えば電子部品を収納するようにしている。しかし、チップ搭載基板の底面やチップモールド部の底面に配列された複数のハンダボールやハンダバンプなどの電極端子を有する半導体パッケージを、キャリアテープの物品収納凹部に収納して搬送すると、電極端子が物品収納凹部の底壁に直接接触し電極端子の汚染等を招くおそれがある。
【０００３】
そこで、物品収納凹部の内周壁を底壁に対して略垂直に形成し、電子部品の底面周縁部を支持するテーパ面を内周壁の下方に形成するとともに、物品収納凹部の内周壁角部を底壁と略垂直に形成して、電子部品の底面角部と前記テーパ面との干渉を防止するようにしたキャリアテープが提案されている（特許文献１参照）。
【先行技術文献】
【特許文献】
【０００４】
【特許文献１】特開２０００−３２７０２５号公報
【発明の概要】
【発明が解決しようとする課題】
【０００５】
しかしながら、上記特許文献１のように、収納物品である電子部品の底面周縁部を支持する支持部を、テーパ面から構成すると、物品収納凹部に電子部品を収納したキャリアテープが搬送される際等に電子部品が物品収納凹部内を滑り動きやすくなってしまう。
【０００６】
又、例えば図５に示すように、電子部品１００の底面１０２の周縁１０３がテーパ面１１０（２点鎖線で示す）の上端まで動くと、電子部品１００の電極端子としてのボール端子１０１がテーパ面１１０に当たり易くなる。
【０００７】
本発明は、物品収納凹部に収納した収納物品が物品収納凹部内を滑り動き難くできるものであって、しかも、収納物品が物品収納凹部内を動いた場合でも、収納物品の電極端子が支持部に当たるおそれの少ないキャリアテープの提供を目的とする。
【課題を解決するための手段】
【０００８】
前記課題を解決するために、本発明の請求項１は、底壁とその底壁の全周に配設された内周壁とを有する物品収納凹部を複数、配設し、その物品収納凹部に収納物品を収納するようにしたキャリアテープであって、前記物品収納凹部は、夫々、前記内周壁と底壁との境界部に、前記収納物品の底面の周縁を支持する支持部を備え、前記支持部は、前記内周壁から底壁に行くに従い漸次高さが低くなるように、且つ、外周側に膨らませるようにして形成された断面円弧状に構成されていることを特徴とするキャリアテープを提供する。
【０００９】
請求項２は、請求項１のキャリアテープにおいて、前記物品収納凹部は、夫々、四角形状の収納物品を収納し得るように、前後左右の各内周壁によって四角形状に区画形成され、前記支持部は、前記前後左右の各内周壁夫々と底壁との境界部に形成された前支持部、後支持部、左支持部、及び右支持部を備え、前記前支持部と左支持部との端部同士間、前記前支持部と右支持部との端部同士間、前記左支持部と後支持部との端部同士間、及び前記右支持部と後支持部との端部同士間の夫々に、前記収納物品の底面の角部がそれらの前後左右の支持部に当たらないようにそれらの前後左右の支持部夫々から下方側に凹ませるようにして形成された角逃がし凹部が設けられていることを特徴とするものである。
【発明の効果】
【００１０】
本発明の請求項１によれば、物品収納凹部は、夫々、内周壁と底壁との境界部に、収納物品の底面の周縁を支持する支持部を備え、支持部は、内周壁から底壁に行くに従い漸次高さが低くなるように、且つ、外周側に膨らませるようにして形成された断面円弧状に構成されている。
【００１１】
これにより、電子部品を収納した後、キャリアテープの搬送時等の取り扱い時に、収納した電子部品の底面の周縁が、従来のテーパ面からなる支持部に較べて滑り動き難いものにできる。
【００１２】
また、収納した電子部品が移動した場合でも、電子部品の電極端子が、従来のテーパ面からなるものに較べて支持部に当接し難いものにできる。
【００１３】
請求項２によれば、前支持部と左支持部との端部同士間、前記前支持部と右支持部との端部同士間、前記左支持部と後支持部との端部同士間、及び前記右支持部と後支持部との端部同士間の夫々に、前記収納物品の底面の角部がそれらの前後左右の支持部に当たらないようにそれらの前後左右の支持部夫々から下方側に凹ませるようにして形成された角逃がし凹部が設けられている。
【００１４】
これにより、電子部品が移動した際、電子部品の底面の角部が支持部の一部を削り取ってその削り粉によって電子部品を汚染するようなことを防止できる。
【図面の簡単な説明】
【００１５】
【図１】本発明のキャリアテープの一実施形態の一部の平面図である。
【図２】図１のＩＩ−ＩＩ線の拡大断面図である。
【図３】物品収納凹部の拡大平面図である。
【図４】物品収納凹部の支持部に電子部品を支持した状態の要部拡大断面図である。
【図５】物品収納凹部の支持部に支持した電子部品が支持部の上端に移動した状態の要部拡大断面図である。
【発明を実施するための形態】
【００１６】
以下、本発明を実施するための最良の形態について、図面を参照しながら詳細に説明する。図１は、本発明の一実施形態のキャリアテープの一部の平面図、図２は、図１のＩＩ−ＩＩ線拡大断面図、図３は、図１の物品収納凹部の拡大した平面図である。
【００１７】
この実施形態のキャリアテープ１は、ポリカーボネート、ポリエステル、ポリエチレン等の合成樹脂から、図１に示すように長尺状に形成されている。又、この実施形態では、長手方向に直交する前後方向（幅方向）の長さは、８ｍｍ程度とされている。
【００１８】
このキャリアテープ１は、図１に示すように前後方向のほぼ中央部に、収納物品としての電子部品１００（図２に図示）を収納するための複数の物品収納凹部２を備え、後端側に、複数の送り穴４を備えている。
【００１９】
物品収納凹部２は、長手方向に沿って等間隔で配設されている。又、図２、図３に示すように物品収納凹部２は、底壁２５とその底壁２５の全周に渡って形成された内周壁２１〜２４とを備えている。この実施形態の内周壁２１〜２４は、右内周壁２１と、左内周壁２２と、後内周壁２３と、前内周壁２４とを備え、これらによって、物品収納凹部２が、平面視で四角形状を呈するものとされている。
【００２０】
又、この実施形態では、底壁２５の左右方向の長さＬ１は、１．３ｍｍ程度で、底壁２５の前後方向の長さＬ２は、１．７ｍｍ程度とされている。
【００２１】
又、物品収納凹部２の上面側には、図２に示すように四角形状の開口部２０が設けられており、この開口部２０から内部に略直方体形状の電子部品１００を出し入れできるようになっている。
【００２２】
又、物品収納凹部２は、夫々、電子部品１００の底面の周縁を支持する支持部２６ａ〜２６ｄと、電子部品１００の底面１０２の角部１０４を逃がす角逃がし部２７とを備えている。
【００２３】
支持部２６ａ〜２６ｄは、この実施形態では、右支持部２６ａと、左支持部２６ｂと、後支持部２６ｃと、前支持部２６ｄとの４つを備えている。右支持部２６ａは、図２、及び図４に示すように、右内周壁２１と底壁２５との境界部に、前後方向に沿って所定長さで形成されている。
【００２４】
又、この右支持部２６ａは、右内周壁２１から底壁２５にいくに従い漸次高さが低くなり、且つ、外周側（物品収納凹部２の斜め下外方側）に膨らませるようにして形成された断面円弧状に構成されている。より詳しくは、右支持部２６ａは、図４に示すように、その断面形状が、物品収納凹部２内の点を円弧中心Ｏにした曲率半径Ｒが０．５ｍｍ程度の円弧状のものとされている。
【００２５】
左支持部２６ｂは、左内周壁２２と底壁２５との境界部に、上記右支持部２６ａと左右対称形状に形成され、又、後支持部２６ｃは、後内周壁２３と底壁２５との境界部に、左右方向に沿って所定長さで形成されている。また、前支持部２６ｄは、前内周壁２３と底壁２５との境界部に、後支持部２６ｃと前後対称形状に形成されている。
【００２６】
角逃がし部２７は、物品収納凹部２内の角部の４箇所であって、後支持部２６ｃと右支持部２６ａとの端部同士間、後支持部２６ｃと左支持部２６ｂとの端部同士間、右支持部２６ａと前支持部２６ｄとの端部同士間、及び左支持部２６ｂと前支持部２６ｄとの端部同士間との４箇所、夫々に配設されている。
【００２７】
この角逃がし部２７は、夫々、右支持部２６ａ、左支持部２６ｂ、前支持部２６ｄ、後支持部２６ｃ夫々から窪まされるようにして、それらの支持部２６ａ〜２６ｄ夫々よりも高さが低くなるように形成されている。
【００２８】
この実施形態では、各角逃がし部２７は、それらの支持部２６ａ〜２６ｄと同程度の曲率半径を有する断面円弧状に、それらの支持部２６ａ〜２６ｄよりも低くなるように形成されている。
【００２９】
又、この実施形態の物品収納凹部２の底壁２５には、図１、図２に示すように吸引用穴２５ａが設けられており、電子部品１００を物品収納凹部２に収納する際に、この吸引用穴２５ａから電子部品１００を物品収納凹部２内に吸引できるようになっている。尚、この吸引用穴２５ａは、必要に応じて設ければ良く、適宜変更できる。
【００３０】
送り穴４は、例えば物品収納凹部２に電子部品１００を収納する際に、物品収納凹部２を機械的に順次間欠的に送るためのもので、図１に示すように長手方向に沿って、一列にほぼ等間隔（この実施形態で４ｍｍのピッチ）で形成されている。
【００３１】
又、この実施形態では、図１、図２に示すように隣接する２つの物品収納凹部２の間には、テープ成形加工用凹部３が設けられている。このテープ成形加工用凹部３は、このキャリアテープ１を、所定幅に成形加工する幅成形加工、或いは、上記送り穴４の穴あけ加工を行なう際に位置決め及び加工送りをするためのものである。
【００３２】
このテープ成形加工用凹部３は、この実施形態では、成形加工時に位置決め及び加工送り用の二股状のガイドピンが挿入できるように前後一対のものから構成されている。尚、テープ成形加工用凹部３についても、必要に応じて設ければ良く、適宜変更できる。
【００３３】
又、物品収納凹部２に電子部品１００が収納された後は、図示しないが、シート状部材がキャリアテープ１の上面にシールされ、物品収納凹部２の開口部２０が閉鎖される。
【００３４】
以上のように構成されることにより、例えば図４に示すように、底面１０２から下方に突設された電極端子としてのボール端子１０１を有する電子部品１００におけるその底面１０２の周縁１０３を、物品収納凹部２の支持部２６ａ〜２６ｄ（図４では、電子部品１００の右周縁１０３を右支持部２６ａが支持している状態を表している）で、そのボール端子１０１が物品収納凹部２の底壁２５に当たることなく、下方から支持することができる。
【００３５】
又、その際、例えば図５に示すように、支持部をテーパ面１１０（２点鎖線で示す）から構成すると、電子部品１００を収納した後、キャリアテープ１の搬送時等の取り扱い時に、収納した電子部品１００の底面１０２の周縁１０３がテーパ面１１０を滑り動き易いが、本発明においては、物品収納凹部２の支持部２６ａ〜２６ｄを断面円弧状にしているため、テーパ面１１０よりも滑り動きにくいものにできる。
【００３６】
また、支持部をテーパ面１１０から構成した場合、収納した電子部品１００の底面１０２の周縁１０３がテーパ面１１０の上端まで移動して、電子部品１００のボール端子１０１がテーパ面１１０に当接する場合でも、本発明においては、物品収納凹部２の支持部２６ａ〜２６ｄを断面円弧状（円弧面）で形成しているため、ボール端子１０１が支持部２６ａ〜２６ｄに当接しないものにできる。
【００３７】
従って、電子部品１００を収納した後に、収納した電子部品１００が移動した場合でも、ボール端子１０１が支持部２６ａ〜２６ｄに当接し難いものにできる。尚、このボール端子１０１は、模式的に表したものである。
【００３８】
一方、図２に示すように電子部品１００の底面１０２の角部１０４を、角逃がし部２７によって支持部２６ａ〜２６ｄに当たらないように逃がすことができるため、例えば電子部品１００が移動した際、電子部品１００の角部１０４が支持部２６の一部を削り取ってその削り粉によって電子部品１００を汚染するようなことを防止できる。
【００３９】
尚、上記実施形態では、支持部２６ａ〜２６ｄを０．５ｍｍ程度の曲率半径の断面円弧状にしているが、この形態のものに限らず、適宜変更できる。例えば０．３ｍｍ程度〜０．７ｍｍ程度の曲率半径を有する断面円弧状であれば、収納した電子部品１００を移動させ難くでき、また、移動した場合でも、ボール端子１０１が支持部２６ａ〜２６ｄに当接し難いものにでき、好ましい。
【００４０】
又、上記実施形態では、角逃がし凹部２７を、全体が断面円弧状になるように形成したが、角逃がし凹部２７は、右支持部２６ａ、左支持部２６ｂ、前支持部２６ｄ、後支持部２６ｃ夫々よりも高さ位置が低く、収納物品としての電子部品１００の底面１０２の周縁がそれらの支持部２６ａ〜２６ｄに支持された際に、その底面１０２の角部１０３が当たらない形態のものであればよい。
【００４１】
例えば、図４中に２点鎖線で示すように、角逃がし凹部２７０を、物品収納凹部２の底壁２５及び右内周壁２１夫々から延長した直線部と、それらの直線部と連結され右支持部２６ａよりも小さい曲率半径の円弧面から構成する。或いは、角逃がし凹部の全体を、右支持部２６ａよりも小さい又は大きい曲率半径の円弧面から構成するようにしてもよい。
【符号の説明】
【００４２】
１    キャリアテープ
２    物品収納凹部
２６ａ、２６ｂ、２６ｃ、２６ｄ    支持部
１００    電子部品
【図１】
2012184020.tif 000003
【図２】
2012184020.tif 000004
【図３】
2012184020.tif 000005
【図４】
2012184020.tif 000006
【図５】
2012184020.tif 000007